(57)【要約】      （修正有）【課題】面積が限られた施工ヤードにおいても安価でかつ容易に前壁ブロックを立て起こすことが可能な分割式護岸の施工方法およびそれに用いられる治具を提供する。【解決手段】第１の治具１１は、本体部の延びる方向に対して直角に延びる方向に突出部１３が突出する構造を有している。この施工方法では、分割式フレア護岸の前壁ブロック３を地面Ｇの上で横倒しにした状態で、第１の治具１１の本体部を前壁ブロック３の前後方向に沿って延びるように前壁ブロック３の脚部３ｆの底面３ｆ１のうち地面Ｇに近い側の部分に取り付け、これにより、突出部１３を前壁ブロック３の側面から突出させて配置する。ついで、前壁ブロック３の頭部３ｇをワイヤＷによって吊り上げることによってこの突出部１３を接地させて接地部分１３ａ１を支点として当該支点を外側面１３ａに沿って移動させながら前壁ブロック３を立て起こす。【選択図】図１６
2014040727.tif 000002
【特許請求の範囲】
【請求項１】
海岸沿いの所定の設置場所の地面に設置される底板ブロックと、当該底板ブロックの上に立てられた状態で当該底板ブロックに固定されて到来する波を沖側に返すように案内する形状の波返し面を有する前壁ブロックであって、当該底板ブロックに当接する底面を有する脚部、および前記前壁ブロックにおける当該脚部に対して反対側の端部に位置する頭部を有する前壁ブロックとを備えた分割式護岸の施工方法であって、
長尺の本体部と、当該本体部の延びる方向と異なる方向に突出する外側面を有する少なくとも１個の突出部とを有し、この外側面は、前記前壁ブロックを立て起こすときに接地して当該前壁ブロックの立起こしの支点が当該外側面に沿って移動可能な形状を有する第１の治具を、前記前壁ブロックに取り付ける工程であり、前記前壁ブロックを前記地面の上で横倒しにした状態で、前記本体部を、前記前壁ブロックの前後方向に沿って延びるように、前記前壁ブロックの前記脚部の底面のうち前記地面に近い側の部分に取り付けることにより、前記突出部を前記前壁ブロックの側面から突出させて配置する治具取付け工程と、
前記前壁ブロックの前記頭部にワイヤを取り付けるワイヤ取付け工程と、
当該ワイヤ取付け工程の後に、前記前壁ブロックの前記頭部を前記ワイヤによって吊り上げることにより、前記突出部の前記外側面を前記地面に連続的に接地させかつその接地部分を支点として当該支点を前記外側面に沿って移動させながら前記前壁ブロックを立て起こす立起こし工程と、
当該立起こし工程の後に、前記前壁ブロックから前記第１の治具を取り外す治具取外し工程と.
を含む
分割式護岸の施工方法。
【請求項２】
前記本体部は、前壁ブロックの脚部に取り付けられたときに前記前壁ブロックの前端よりも前側にはみ出る前側部分および前記前壁ブロックの後端よりも後側にはみ出る後側部分のうちの少なくとも一方の部分を有しており、前記突出部は、前記前側部分および前記後側部分の少なくとも一方の部分に配置される、
請求項１に記載の分割式護岸の施工方法。
【請求項３】
少なくとも１個の前記突出部は、前記前壁ブロックの脚部の前後方向に並ぶ複数の突出部を含んでおり、
前記治具取付け工程において、前記複数の突出部のうち前記前壁ブロックの脚部の前後方向において最も前方側に位置する突出部と最も後方側に位置する突出部とが前記前壁ブロックの重心に対して前後に均等の距離に配置されるように、当該第１の治具の本体部を前記前壁ブロックの前記脚部の底面に取り付ける、
請求項２に記載の分割式護岸の施工方法。
【請求項４】
前記突出部の前記外側面は、前記前壁ブロックを立て起こすときに接地して当該前壁ブロックの立起こしの支点が連続的に移動するような曲面を含む、
請求項１から３のいずれかに記載の分割式護岸の施工方法。
【請求項５】
前記突出部の前記外側面は、複数の平面が互いに傾斜してそれぞれの縁がつながることにより構成された複数の角部を有し、当該角部が前記前壁ブロックを立て起こすときに順次接地することにより支点が切り換わるものである、
請求項１から３のいずれかに記載の分割式護岸の施工方法。
【請求項６】
少なくとも１個の前記突出部は、複数の突出部を含んでおり、
前記突出部は、前記前壁ブロックを立て起こすときに接地して当該前壁ブロックの立起こしの支点が連続的に切り換わることが可能な形状の前記外側面を有する板状の部材からなり、
複数の前記突出部は、それぞれの前記外側面が前記地面に当接し得るように、前記本体部の長手方向に互いに間隔をあけて配置されている、
請求項１から５に記載の分割式護岸の施工方法。
【請求項７】
前記治具取付け工程において、前記前壁ブロックを前記地面の上で横倒しにした状態で、前記前壁ブロックの前記脚部の底面のうち前記地面に遠い側の部分に、前記第１の治具の高さと同じ高さを有する第２の治具を取り付け、
前記立起こし工程において、前記前壁ブロックが起き上がったときに、前記第１の治具および前記第２の治具がそれぞれ前記地面に当接した状態で前記前壁ブロックを下方から支持する、
請求項１から６のいずれかに記載の分割式護岸の施工方法。
【請求項８】
前記治具取外し工程の後に、前記ワイヤが前記前壁ブロックの頭部に取り付けられた状態で、前記ワイヤによって前記前壁ブロックを吊り下げて、当該前壁ブロックを前記底板ブロックの上に設置する前壁ブロック設置工程をさらに含む、
請求項１から７のいずれかに記載の分割式護岸の施工方法。
【請求項９】
前記立起こし工程において、前記前壁ブロックの重心が前記第１の治具の上方を通過するときに、当該前壁ブロックに対して前記重心の移動方向と反対の方向へ制動力をかけて、前記前壁ブロックを立て起こす速度を減速させる、請求項１から８のいずれかに記載の分割式護岸の施工方法。
【請求項１０】
前記ワイヤ取付け工程において、前記ワイヤをクレーンのフックに取り付けられた滑車に掛け回し、前記ワイヤの両端をそれぞれ前記前壁ブロックの前記頭部のうち前記地面に近い側の部分と当該地面に遠い側の部分に連結し、
前記立起こし工程おいて、前記ワイヤの両端が前記前壁ブロックの前記頭部に取り付けられた状態で、前記クレーンを作動させて前記滑車を上昇させることによって前記前壁ブロックの頭部を吊り上げることにより、前記突出部の前記外側面を前記地面に連続的に接地させかつその接地部分を支点として当該支点を前記外側面に沿って移動させながら前記前壁ブロックを立て起こす
請求項１から９のいずれかに記載の分割式護岸の施工方法。
【請求項１１】
請求項１に記載されている分割式護岸の施工方法に用いられる治具であって、
前記前壁ブロックの脚部の底面に対して当該前壁ブロックの前後方向に沿って延びるように取り付けられることが可能な形状を有する長尺の本体部と、
前記本体部から突出する少なくとも１個の突出部とを備えており、
前記突出部は、前記本体部が前記前壁ブロックの前記脚部の底面のうち前記地面に近い側の部分に取り付けられたときに前記前壁ブロックの側面から突出する方向に、当該本体部から突出する外側面を有し、かつ、当該突出部は、前記前壁ブロックを立て起こすときに接地して当該前壁ブロックの立起こしの支点が当該外側面に沿って移動可能な形状を有する、
ことを特徴とする治具。
【請求項１２】
前記本体部は、前壁ブロックの脚部に取り付けられたときに前記前壁ブロックの前端よりも前側にはみ出る前側部分および前記前壁ブロックの後端よりも後側にはみ出る後側部分のうちの少なくとも一方の部分を有しており、前記突出部は、前記前側部分および前記後側部分の少なくとも一方の部分に配置されている、
請求項１１に記載の治具。
【請求項１３】
前記突出部の前記外側面は、前記前壁ブロックを立て起こすときに接地して当該前壁ブロックの立起こしの支点が連続的に移動するような曲面を含む、
請求項１１または１２に記載の治具。
【請求項１４】
前記突出部の前記外側面は、複数の平面が互いに傾斜してそれぞれの縁がつながることにより構成された複数の角部を有し、当該角部が前記前壁ブロックを立て起こすときに順次接地することにより支点が切り換わるものである
請求項１１または１２に記載の治具。
【請求項１５】
少なくとも１個の前記突出部は、複数の突出部を含んでおり、
前記突出部は、前記前壁ブロックを立て起こすときに接地して当該前壁ブロックの立起こしの支点が連続的に切り換わることが可能な形状の前記外側面を有する板状の部材からなり、
複数の前記突出部は、それぞれの外側面が前記地面に当接し得るように、前記本体部の長手方向に互いに間隔をあけて配置されている、
請求項１１から１４に記載の治具。
【発明の詳細な説明】
【技術分野】
【０００１】
本発明は、底板部分と前壁部分とが分割された構造の分割式護岸の施工方法、およびその施工方法に用いられる治具に関する。
【背景技術】
【０００２】
現在、高潮対策として海岸沿いに設置される護岸等の構造物は、消波ブロックによって海岸を被覆した消波ブロック被覆護岸が一般的であり、このような消波ブロック被覆護岸は、越波阻止効果を有する。さらに、従来では、特許文献１に記載されているように、全高さを抑えつつ越波量を低減することが可能な護岸構造物として、フレア護岸が提案されている。フレア護岸は、波を跳ね返すことが可能な略円弧状に湾曲した形状の前壁を有するので、通常の消波ブロックと比較して低い全高さで同程度の越波量を抑えることが可能であり、しかも、消波ブロック被覆護岸と比較して護岸前面の砂浜やリーフ等を確保することが可能である。
【０００３】
しかし、このようなフレア護岸においても現地条件によって大型化せざるを得ない場合があり、そのような場合には、当該フレア護岸を海上から輸送して据え付ける作業が必要となる。また、現地の条件によって海上からの施工が困難な場合には、フレア護岸を適用できないおそれがある。
【０００４】
そこで、このような護岸の大型化に伴う施工困難性を解決するために、陸上からの施工が可能な護岸として分割式護岸が提案されている。
【０００５】
このような分割式護岸としては、例えば、底板ブロックと、その底板ブロックの上に立設された前壁ブロックとを備えた構造が提案されている。このような分割式護岸の場合、これら２つの部品に分割した状態でそれぞれトレーラーによって施工場所の湾岸へ陸上から輸送し、現地で底板ブロックの上に前壁ブロックを立設することにより所定の寸法のフレア護岸を施工することが可能である。
【先行技術文献】
【特許文献】
【０００６】
【特許文献１】特開平１１−２４１３２３号公報
【発明の概要】
【発明が解決しようとする課題】
【０００７】
上記のような分割式護岸の場合、前壁ブロックをトレーラーなどを用いて陸上輸送するときには、陸上輸送時の高さ制限のために、輸送時の前壁ブロックの高さが所定の高さを超えないように前壁ブロックを横倒しの状態で搬送する必要がある。そして、分割式護岸を施工する場合には、横倒しになっている前壁ブロックを現地で立て起こす作業が必要である。
【０００８】
しかし、前壁ブロックは、寸法が大きく（縦６ｍ、幅２ｍ、奥行き１．８〜３ｍ程度）かつ非常に重い（１６トン程度）ので、このような前壁ブロックを立て起こすために重機械を用いる必要がある。ここで、重機械を用いた立て起こし作業として、例えば、油圧シリンダなどを有する立起し専用機械を用いて前壁ブロックを立て起こしたり、または、２台のクレーンによって前壁ブロックを吊り下げながら立て起こす方法などが考えられる。しかし、これらの立て起こし作業では、面積が限られた施工ヤードで安価に立て起こしを行なうことが難しいという問題がある。
【０００９】
本発明は、上記のような事情に鑑みてなされたものであり、面積が限られた施工ヤードにおいても安価でかつ容易に前壁ブロックを立て起こすことが可能な分割式護岸の施工方法およびそれに用いられる治具を提供することを目的とする。
【課題を解決するための手段】
【００１０】
上記課題を解決するためのものとして、本発明の分割式護岸の施工方法は、海岸沿いの所定の設置場所の地面に設置される底板ブロックと、当該底板ブロックの上に立てられた状態で当該底板ブロックに固定されて到来する波を沖側に返すように案内する形状の波返し面を有する前壁ブロックであって、当該底板ブロックに当接する底面を有する脚部、および前記前壁ブロックにおける当該脚部に対して反対側の端部に位置する頭部を有する前壁ブロックとを備えた分割式護岸の施工方法であって、長尺の本体部と、当該本体部の延びる方向と異なる方向に突出する外側面を有する少なくとも１個の突出部とを有し、この外側面は、前記前壁ブロックを立て起こすときに接地して当該前壁ブロックの立起こしの支点が当該外側面に沿って移動可能な形状を有する第１の治具を、前記前壁ブロックに取り付ける工程であり、前記前壁ブロックを前記地面の上で横倒しにした状態で、前記本体部を、前記前壁ブロックの前後方向に沿って延びるように、前記前壁ブロックの前記脚部の底面のうち前記地面に近い側の部分に取り付けることにより、前記突出部を前記前壁ブロックの側面から突出させて配置する治具取付け工程と、前記前壁ブロックの前記頭部にワイヤを取り付けるワイヤ取付け工程と、当該ワイヤ取付け工程の後に、前記前壁ブロックの前記頭部を前記ワイヤによって吊り上げることにより、前記突出部の前記外側面を前記地面に連続的に接地させかつその接地部分を支点として当該支点を前記外側面に沿って移動させながら前記前壁ブロックを立て起こす立起こし工程と、当該立起こし工程の後に、前記前壁ブロックから前記第１の治具を取り外す治具取外し工程とを含むことを特徴とする。
【００１１】
本発明の施工方法は、分割式護岸を構成する底板ブロックと前壁ブロックとを分離した状態で、それぞれ設置場所に搬送し、現地でこれらを組み合わせる施工方法に適用される。この施工方法では、前壁ブロックを横倒しの状態で搬送した後に、前壁ブロックの立起こしを容易する支点となる第１の治具を前壁ブロックの脚部に取り付けることにより、前壁ブロックを立て起こす作業を狭い施工ヤードで簡単に行なうことを可能にしたものである。
【００１２】
すなわち、本発明の施工方法では、前壁ブロックを横倒しの状態から立て起こす前に、まず、前壁ブロックの脚部のうち地面に近い側の部分に、第１の治具を取り付ける。この
第１の治具は、その本体部の延びる方向と異なる方向（例えば、直角方向）に突出部が突出する構造を有しているので、前壁ブロックを地面の上で横倒しにした状態で、第１の治具の本体部を前壁ブロックの前後方向に沿って延びるように前壁ブロックの脚部の底面のうち地面に近い側の部分に取り付けることにより、突出部を前壁ブロックの側面から突出させて配置することが可能である。これにより、前壁ブロックの頭部をワイヤによって吊り上げることによってこの突出部を接地させ、かつ、その接地部分を支点として当該支点を外側面に沿って移動させながら前壁ブロックを円滑に立て起こすことが可能である。このように、前壁ブロックを第１の治具の突出部の外側面を地面に連続的に接地させ、かつ、その接地部分を支点として当該支点を外側面に沿って移動させながら前壁ブロックを立て起こすことにより、面積が限られた施工ヤードで少ない重機械を用いて安価でかつ簡便に立て起こしを行なうことが可能である。また、前壁ブロックを立て起こした後は、第１の治具を取り外せは、前壁ブロックを底板ブロックの上に容易に立設することが可能である。
【００１３】
また、前記本体部は、前壁ブロックの脚部に取り付けられたときに前記前壁ブロックの前端よりも前側にはみ出る前側部分および前記前壁ブロックの後端よりも後側にはみ出る後側部分のうちの少なくとも一方の部分を有しており、前記突出部は、前記前側部分および前記後側部分の少なくとも一方の部分に配置されるのが好ましい。
【００１４】
かかる特徴によれば、本体部が前壁ブロックの脚部に取り付けられたときに、突出部が前壁ブロックの前端よりも前側にはみ出た前側部分および当該前壁ブロックの後端よりも後側にはみ出た後側部分の少なくとも一方の部分に配置されるので、前壁ブロックの立起こし作業中には、前壁ブロックの脚部の前後方向の長さよりも広い長さの範囲で第１の治具の突出部が地面に接触することが可能になる。これにより、前壁ブロックが立起こし作業中に前壁ブロックがその脚部を回転支点として水平回転するおそれを低減することが可能である。
【００１５】
また、少なくとも１個の前記突出部は、前記前壁ブロックの脚部の前後方向に並ぶ複数の突出部を含んでおり、前記治具取付け工程において、前記前壁ブロックの脚部の前後方向において、前記複数の突出部のうち最も前方側に位置する突出部と最も後方側に位置する突出部とが前記前壁ブロックの重心に対して前後に均等の距離に配置されるように、当該第１の治具の本体部を前記前壁ブロックの前記脚部の底面に取り付けるのが好ましい。
【００１６】
かかる特徴によれば、最も前方側に位置する突出部と最も後方側に位置する突出部とが前壁ブロックの脚部の前後方向において前壁ブロックの重心に対して前後に均等の距離に配置されることによって、立起こし作業中には、第１の治具にかかる力が前壁ブロックの前後に均等に分散されるので、立起こし作業中に前壁ブロックがその脚部を回転支点として水平回転するおそれをより低減することが可能である。
【００１７】
また、前記突出部の前記外側面は、前記前壁ブロックを立て起こすときに接地して当該前壁ブロックの立起こしの支点が連続的に移動するような曲面を含むのが好ましい。
【００１８】
かかる特徴によれば、突出部の外側面が前壁ブロックの立起こしの支点が連続的に移動するような曲面を含むので、当該外側面を連続的に接地させながら前壁ブロックを立て起こすことにより、立起こし作業の途中で前壁ブロックの立て起こし速度が急変動するおそれが低減し、円滑に立て起こし作業を行なうことが可能である。
【００１９】
また、前記突出部の前記外側面は、複数の平面が互いに傾斜してそれぞれの縁がつながることにより構成された複数の角部を有し、当該角部が前記前壁ブロックを立て起こすときに順次接地することにより支点が切り換わるものであるのが好ましい。
【００２０】
かかる特徴によれば、突出部の外側面が複数の角部を有し、これらの角部が複数の平面が互いに傾斜してそれぞれの縁がつながることにより構成されているので、突出部の外側面を連続的に接地させながら前壁ブロックを立て起こすことにより、それぞれの平面の間の角部が順次接地して支点が切り換わるので、立起こし作業の途中で前壁ブロックの立て起こし速度が急変動するおそれが低減し、円滑に立て起こし作業を行なうことが可能である。
【００２１】
また、少なくとも１個の前記突出部は、複数の突出部を含んでおり、前記突出部は、前記前壁ブロックを立て起こすときに接地して当該前壁ブロックの立起こしの支点が連続的に切り換わることが可能な形状の前記外側面を有する板状の部材からなり、複数の前記突出部は、それぞれの前記外側面が前記地面に当接し得るように、前記本体部の長手方向に互いに間隔をあけて配置されているのが好ましい。
【００２２】
かかる特徴によれば、第１の治具の突出部が前壁ブロックを立て起こすときに接地して当該前壁ブロックの立起こしの支点が連続的に切り換わることが可能な形状の外側面を有する板状の部材からなり、かつ、複数の突出部が、それぞれの外側面が地面に当接し得るように、本体部の長手方向に互いに間隔をあけて配置されているので、不陸（凸凹）な地面でも地面にそれぞれの突出部が地盤に食い込み、立起こし作業中に前壁ブロックがその脚部を回転支点として水平回転するおそれをより低減することが可能である。これにより、不陸な地面の影響を抑えながら立て起こし作業を円滑に行なうことが可能である。
【００２３】
また、前記治具取付け工程において、前記前壁ブロックを前記地面の上で横倒しにした状態で、前記前壁ブロックの前記脚部の底面のうち前記地面に遠い側の部分に、前記第１の治具の高さと同じ高さを有する第２の治具を取り付け、前記立起こし工程において、前記前壁ブロックが起き上がったときに、前記第１の治具および前記第２の治具がそれぞれ前記地面に当接した状態で前記前壁ブロックを下方から支持するのが好ましい。
【００２４】
かかる特徴によれば、前壁ブロックを立て起こした後に当該前壁ブロックの起立状態を安定させるために、第１の治具とは別に第２の治具をさらに取り付ける。すなわち、治具取付け工程において、前壁ブロックを地面の上で横倒しにした状態で、前壁ブロックの脚部の底面のうち地面に遠い側の部分に、第１の治具の高さと同じ高さを有する第２の治具を取り付ける。このように、第２の治具の高さが第１の治具の高さと同じであるので、立起こし工程のときに、前壁ブロックが起き上がったときに第１の治具と第２の治具とによって前壁ブロックの起立状態を安定して維持することが可能である。
【００２５】
また、前記治具取外し工程の後に、前記ワイヤが前記前壁ブロックの頭部に取り付けられた状態で、前記ワイヤによって前記前壁ブロックを吊り下げて、当該前壁ブロックを前記底板ブロックの上に設置する前壁ブロック設置工程をさらに含むのが好ましい。
【００２６】
かかる特徴によれば、治具取り外し工程の後に、前壁ブロックの立起こし作業のときに用いたワイヤを当該前壁ブロックの頭部に取り付けたまま施工を続けることにより、第１の治具の取り外し工程の後にワイヤの付け替え作業をすることなくそのまま前壁ブロックを当該ワイヤで吊り下げて底板ブロックの上まで搬送し、当該前壁ブロックを底板ブロックの上に設置する作業を行なうことである。これにより作業時間の短縮が可能である。
【００２７】
また、前記立起こし工程において、前記前壁ブロックの重心が前記第１の治具の上方を通過するときに、当該前壁ブロックに対して前記重心の移動方向と反対の方向へ制動力をかけて、前記前壁ブロックを立て起こす速度を減速させるのが好ましい。
【００２８】
かかる特徴によれば、立起こし工程のときに、前壁ブロックの重心が第１の第１の治具をまたぐときに、例えば作業者が手動ウインチ（例えば、チルホール（登録商標））などを操作することによって、当該前壁ブロックに対して重心の移動方向と反対の方向へ制動力をかけて、前壁ブロックを立て起こす速度を減速させる。これにより、前壁ブロックの立て起こす速度を微調整することが可能である。これにより、より安定して立起こし作業を行なうことが可能である。
【００２９】
また、前記ワイヤ取付け工程において、前記ワイヤをクレーンのフックに取り付けられた滑車に掛け回し、前記ワイヤの両端をそれぞれ前記前壁ブロックの前記頭部のうち前記地面に近い側の部分と当該地面に遠い側の部分に連結し、前記立起こし工程おいて、前記ワイヤの両端が前記前壁ブロックの前記頭部に取り付けられた状態で、前記クレーンを作動させて前記滑車を上昇させることによって前記前壁ブロックの頭部を吊り上げることにより、前記突出部の前記外側面を前記地面に連続的に接地させかつその接地部分を支点として当該支点を前記外側面に沿って移動させながら前記前壁ブロックを立て起こすのが好ましい。
【００３０】
かかる特徴によれば、まず、ワイヤ取付け工程において、滑車にかけられたワイヤの両端を横倒しになった前壁ブロックの頭部に取り付ける。すなわち、ワイヤをクレーンのフックに取り付けられた滑車に掛け回し、ワイヤの両端をそれぞれ前壁ブロックの頭部のうち地面に近い側の部分と当該地面に遠い側の部分に連結する。ついで、立起こし工程において、ワイヤの両端が前壁ブロックの頭部に取り付けられた状態で、クレーンを作動させて滑車を上昇させたときに、前壁ブロックが立て起こされるにつれて滑車にかけられたワイヤの両端の相対的な高さは変化するが、ワイヤの両端における張力は均等に保たれるので、前壁ブロックの両側の頭部に均等に吊り上げる力を作用させることができる。これにより、少ない重機械を用いて立起こし作業をより安定して行なうことが可能になる。
【００３１】
本発明の分割式護岸の施工方法に用いられる治具は、前記分割式護岸の施工方法に用いられる治具であって、前記前壁ブロックの脚部の底面に対して当該前壁ブロックの前後方向に沿って延びるように取り付けられることが可能な形状を有する長尺の本体部と、前記本体部から突出する少なくとも１個の突出部とを備えており、前記突出部は、前記本体部が前記前壁ブロックの前記脚部の底面のうち前記地面に近い側の部分に取り付けられたときに前記前壁ブロックの側面から突出する方向に、当該本体部から突出する外側面を有し、かつ、当該突出部は、前記前壁ブロックを立て起こすときに接地して当該前壁ブロックの立起こしの支点が当該外側面に沿って移動可能な形状を有することを特徴とする。
【００３２】
かかる構成によれば、第１の治具は、本体部から突出する少なくとも１個の突出部を有し、しかも、当該突出部は、本体部が前壁ブロックの脚部の底面のうち地面に近い側の部分に取り付けられたときに前壁ブロックの側面から突出する方向に向けて当該本体部から突出する構造を有しているので、前壁ブロックを地面の上で横倒しにした状態で、本体部を前壁ブロックの前後方向に沿って延びるように前壁ブロックの脚部の底面のうち地面に近い側の部分に取り付けることにより、突出部を前壁ブロックの側面から突出させて配置することが可能である。これにより、前壁ブロックの頭部をワイヤによって吊り上げることによってこの突出部を接地させて当該前壁ブロックの立起こしの支点を連続的に切り換えながら前壁ブロックを円滑に立て起こすことが可能である。このように、前壁ブロックを第１の治具の突出部の外側面を地面に連続的に接地させ、かつ、その接地部分を支点として当該支点を外側面に沿って移動させながら前壁ブロックを立て起こすことにより、面積が限られた施工ヤードで少ない重機械を用いて安価でかつ簡便に立て起こしを行なうことが可能である。また、前壁ブロックを立て起こした後は、第１の治具を取り外せは、前壁ブロックを底板ブロックの上に容易に立設することが可能である。
【００３３】
また、前記本体部は、前壁ブロックの脚部に取り付けられたときに前記前壁ブロックの前端よりも前側にはみ出る前側部分および前記前壁ブロックの後端よりも後側にはみ出る後側部分のうちの少なくとも一方の部分を有しており、前記突出部は、前記前側部分および前記後側部分の少なくとも一方の部分に配置されているのが好ましい。
【００３４】
かかる構成によれば、本体部が前壁ブロックの脚部に取り付けられたときに、突出部が前壁ブロックの前端よりも前側にはみ出た前側部分および当該前壁ブロックの後端よりも後側にはみ出た後側部分の少なくとも一方の部分に配置されるので、前壁ブロックの立起こし作業中には、前壁ブロックの脚部の前後方向の長さよりも広い長さの範囲で第１の治具の突出部が地面に接触することが可能になる。これにより、前壁ブロックが立起こし作業中に前壁ブロックがその脚部を回転支点として水平回転するおそれを低減することが可能である。
【００３５】
また、前記突出部の前記外側面は、前記前壁ブロックを立て起こすときに接地して当該前壁ブロックの立起こしの支点が連続的に移動するような曲面を含むのが好ましい。
【００３６】
かかる構成によれば、突出部の外側面において前壁ブロックの立起こしの支点が連続的に移動するような曲面を含むので、当該外側面を連続的に接地させながら前壁ブロックを立て起こすことにより、立起こし作業の途中で前壁ブロックの立て起こし速度が急変動するおそれが低減し、円滑に立て起こし作業を行なうことが可能である。
【００３７】
また、前記突出部の前記外側面は、複数の平面が互いに傾斜してそれぞれの縁がつながることにより構成された複数の角部を有し、当該角部が前記前壁ブロックを立て起こすときに順次接地することにより支点が切り換わるものであるのが好ましい。
【００３８】
かかる構成によれば、突出部の外側面が複数の角部を有し、これらの角部が複数の平面が互いに傾斜してそれぞれの縁がつながることにより構成されているので、突出部の外側面を連続的に接地させながら前壁ブロックを立て起こすことにより、それぞれの平面の間の角部が順次接地して支点が切り換わる前壁ブロックの立起こしの支点として機能するので、立起こし作業の途中で前壁ブロックの立て起こし速度が急変動するおそれが低減し、円滑に立て起こし作業を行なうことが可能である。
【００３９】
また、少なくとも１個の前記突出部は、複数の突出部を含んでおり、前記突出部は、前記前壁ブロックを立て起こすときに接地して当該前壁ブロックの立起こしの支点が連続的に切り換わることが可能な形状の前記外側面を有する板状の部材からなり、複数の前記突出部は、それぞれの前記外側面が前記地面に当接し得るように、前記本体部の長手方向に互いに間隔をあけて配置されているのが好ましい。
【００４０】
かかる構成によれば、第１の治具の突出部が前壁ブロックを立て起こすときに接地して当該前壁ブロックの立起こしの支点が連続的に切り換わることが可能な形状の外側面を有する板状の部材からなり、かつ、複数の突出部が、それぞれの外側面が地面に当接し得るように、本体部の長手方向に互いに間隔をあけて配置されているので、不陸（凸凹）な地面でも地面にそれぞれの突出部が地盤に食い込み、立起こし作業中に前壁ブロックがその脚部を回転支点として水平回転するおそれをより低減することが可能である。これにより、不陸な地面の影響を抑えながら立て起こし作業を円滑に行なうことが可能である。
【発明の効果】
【００４１】
以上説明したように、本発明によれば、面積が限られた施工ヤードにおいても少ない重機械を用いて安価でかつ簡便に前壁ブロックを立て起こすことができる。
【図面の簡単な説明】
【００４２】
【図１】本発明の分割式護岸の施工方法によって施工される分割式護岸の側面図である。
【図２】図１の分割式護岸の正面図である。
【図３】図１の分割式護岸の背面図である。
【図４】図１の前壁ブロックをトレーラに載せて陸上輸送する作業を示す説明図である。
【図５】図１の分割式護岸の施工方法であって、底板ブロックを設置場所に設置する作業を示す説明図である。
【図６】図１の分割式護岸の施工方法であって、治具取り付け工程において、前壁ブロックに第１の治具および第２の治具を取り付ける作業を示す説明図である。
【図７】図６の前壁ブロックおよび第２の治具についての矢視Ｃ１図である。
【図８】図６の前壁ブロックおよび第１の治具についての矢視Ｃ２図である。
【図９】図６の前壁ブロック、第１の治具および第２の治具についての矢視Ｂ図である。
【図１０】図６の第１の治具の平面図である。
【図１１】図１０の治具を矢印Ａの方向から見た図である。
【図１２】図６の第１の治具の縦断面図である。
【図１３】図６の前壁ブロックにワイヤを取り付けた状態を押し返し面の側から見た説明図である。
【図１４】図６の前壁ブロックにワイヤを取り付けた状態を前壁ブロックの頭部の側から見た説明図である。
【図１５】図６の前壁ブロックにワイヤを取り付けた状態を前壁ブロックの背面側から見た説明図である。
【図１６】（ａ）は図１５の前壁ブロックをクレーンを用いて立て起こす途中の状態を示す説明図、（ｂ）は当該（ａ）における第１の治具と地面との接地部分の拡大図である。
【図１７】図１６（ａ）のクレーンおよび前壁ブロックを上から見た図である。
【図１８】図１６の前壁ブロックの重心が第１の治具の上方を通過する前後において手動ウインチを用いて前壁ブロックの立起こし速度を調整する状態を示す図である。
【図１９】図１８の前壁ブロックが立て起こされた状態を示す図である。
【図２０】図１８の前壁ブロックを底板ブロックの上に設置する作業を示す図である。
【図２１】図２０の前壁ブロックが底板ブロックの上に設置された状態を示す側面図である。
【図２２】後打ちコンクリートを打設する作業を示す図である。
【図２３】本発明の治具の変形例である複数の角部が突出部の外側面に形成されている治具の断面図である。
【発明を実施するための形態】
【００４３】
つぎに本発明の分割式護岸の施工方法およびそれに用いられる治具について図面を参照しながら説明する。
【００４４】
本発明の分割式護岸の施工方法は、底板部分と前壁部分とが分割可能な分割式護岸を施工するための方法であり、前壁部分の立て起こしを容易にするために、前壁部分（例えば、図６に示される前壁ブロック３）を横倒しの状態から立て起こすときに用いる治具として、その接地部分が当該前壁部分の立起こしの支点として当該支点が移動可能な第１の治具（例えば、図６に示される第１の治具１１）を当該前壁部分の脚部に取り付けて立起こし作業を行なうことに特徴がある。
【００４５】
以下、分割式護岸の施工方法の一例として、本実施形態では、分割式フレア護岸１の施工方法を例に挙げて説明する。
【００４６】
まず、本実施形態の施工方法で施工される分割式フレア護岸１の構造について説明する。
【００４７】
（分割式フレア護岸１の構造）
図１〜３に示されるように、分割式フレア護岸１は、底板ブロック２と、その底板ブロック２の上に立設された前壁ブロック３とを備えている。
【００４８】
底板ブロック２は、海岸沿いにおける所定の設置場所Ｐの地面Ｇ（図５参照）に敷設されるブロックであり、前壁ブロック３を載せる台座として機能する。底板ブロック２は、平板状のブロックからなる台座部２ａと、波が当たる波当て部２ｂとを有する。台座部２ａの上面２ａ１は、平坦に形成されている。波当て部２ｂは、台座部２ａの端部に連結しており、当該底板ブロック２が設置場所Ｐに設置されるときには沖側Ｓ１（図１および図５参照）を向くように配置される。波当て部２ｂの上面は、前壁ブロック３の波返し面３ｃに連続するように若干湾曲した形状を有している。底板ブロック２は、コンクリートなどの材料によって一体形成されている。底板ブロック２は、設置場所Ｐに搬送する前に当該設置場所Ｐと異なる場所であらかじめ製造される。また、底板ブロック２の台座部２ａは、その上面２ａ１から上方へ突出する複数本のアンカーボルト４（図１および図３参照）を有している。さらに、図５に示されるように、底板ブロック２の台座部２ａの上面２ａ１には、後打ちコンクリート用の鉄筋を連結するためのひげ鉄筋２ｄが突出している。ひげ鉄筋２ｄは、台座部２ａの上面のうち、前壁ブロック３が当接する部分を除く範囲に配置されている。
【００４９】
前壁ブロック３は、底板ブロック２の上に立てられた状態で底板ブロック２に固定されるブロックである。前壁ブロック３は、前壁ブロック本体３ａと、当該前壁ブロック本体３ａを陸側Ｓ２（図１および図２０参照）から支持するフレーム部３ｂとを有している。前壁ブロック本体３ａは、沖から陸へ到来する波を沖側Ｓ１（図２０参照）に返すように案内する形状の波返し面３ｃを有する。波返し面３ｃは、具体的には、下端から上方へ向かうにつれて一旦陸側Ｓ２へ凹み、さらに上方へ向かうにつれて沖側Ｓ１へ突出するように全体的に湾曲した形状を有している。
【００５０】
前壁ブロック本体３ａは、コンクリートなどによって形成されている。前壁ブロック本体３ａは、フレーム部３ｂを横に倒した状態でフレーム部３ｂの沖側の部分にコンクリートを打設することにより形成される。前壁ブロック３も、底板ブロック２と同様に、設置場所Ｐに搬送する前に当該設置場所Ｐと異なる場所であらかじめ製造される。
【００５１】
フレーム部３ｂは、前壁ブロック本体３ａを陸側Ｓ２から支持する部分である。フレーム部３ｂは、一対の縦板３ｄと、これら一対の縦板３ｄを連結する複数の梁材３ｅとを備えている。一対の縦板３ｄは、互いに対向して立てられた状態で横方向に延びる複数の梁材３によって連結されている。フレーム部３ｂは、鋼などの材料によって形成されている。また、図３および図７に示されるように、縦板３ｄの周縁のうち前壁ブロック本体３ａに当接する部分と異なる部分、具体的には、図７における縦板３ｄの上部、下部、陸側Ｓ２を向く部分には、それぞれ縦板３ｄの厚さよりも大きい幅を有する上部つば部３ｄ１、下部つば部３ｄ２および陸側つば部３ｄ３が形成されている。したがって、縦板３ｄの上側、下側および陸側の部分は、これらのつば部３ｄ１、３ｄ２、および３ｄ３によって取り囲まれている。
【００５２】
前壁ブロック３が立てられた状態において、上記のフレーム部３の下端部は、前壁ブロック３の脚部３ｆとなり、一方、フレーム部３の上端部は、前壁ブロック３の頭部３ｇとなる。脚部３ｆは、底板ブロック２に当接する底面３ｆ１を有する。底面３ｆは、縦板３ｄの下部つば部３ｄ２の下面によって構成される。頭部３ｇは、前壁ブロック３の脚部３ｆに対して反対側の端部（すなわち縦板３ｄの上部つば部３ｄ１）に位置する。
【００５３】
前壁ブロック３の頭部３ｇにおいて、一対の縦板３ｄのそれぞれの上端のつば部３ｄ１には、ワイヤと連結可能な連結部３ｊが設けられている。連結部３ｊには、それぞれ貫通孔３ｊ１が形成されている。連結部３ｊは、図７〜８に示されるように、前壁ブロック３の重心Ｇを通る当該前壁ブロック３の高さ方向に延びる中心線ＣＬの上または近い位置に配置されている。これにより、連結部３ｊにワイヤをかけて前壁ブロック３の頭部３ｇを吊り上げることによって前壁ブロック３を立て起こすときに、連結部３ｊにかかる上方に吊り上げられる力によって前壁ブロック３が中心線ＣＬ回りに回転するモーメントが作用することを低減することが可能である。
【００５４】
本実施形態の分割式フレア護岸１では、底板ブロック２の上に立てられた状態の前壁ブロック３を当該底板ブロック２に固定するために、これらブロック２、３の間に第１後打ちコンクリート部５および第２後打ちコンクリート部６が形成されている。
【００５５】
前壁ブロック３の脚部３ｆは、底板ブロック２の台座部２ａの上面２ａ１に当接するとともにアンカーボルト４に連結されている。具体的には、脚部３ｆの底面３ｆ（具体的には、図７に示される下部つば部３ｄ２）に開口した貫通孔（図示せず）にアンカーボルト４が貫通し、当該アンカーボルト４にナットが螺合することにより、脚部３がアンカーボルト４に連結されている。この状態で、脚部３ｆが埋まるように後打ちコンクリートを打設することにより、第１後打ちコンクリート部５が形成されている。さらに、前壁ブロック本体３ａと底板ブロック２の波当て部２ｂとの隙間に膨張コンクリートを充填することにより、第２後打ちコンクリート部６が形成されている。
【００５６】
（第１の治具１１の説明）
つぎに、前壁ブロック３の立起こしの支点として機能する第１の治具１１について説明する。
【００５７】
図１０〜１２に示されるように、本実施形態に係る分割式フレア護岸１の施工方法に用いられる第１の治具１１は、長尺の本体部１２と、複数の突出部１３とを備えている。
【００５８】
長尺の本体部１２は、前壁ブロック３の脚部３ｆの底面３ｆ１（具体的には、縦板３ｄの下部つば部３ｄ２）に対して当該前壁ブロック３の前後方向に沿って延びるように取り付けられることが可能な形状を有する。具体的には、本体部１２は、Ｈ型鋼のような形状を有しており、第１板部１２ａ、第２板部１２ｂ、および中間板部１２ｃを有している。第１板部１２ａおよび第２板部１２ｂは、互いに向かい合った状態で平行に配置され、これら第１板部１２ａおよび第２板部１２ｂが中間板部１２ｃによって連結されている。第１板部１２ａは、前壁ブロック３の脚部３ｆの底面３ｆ１が当接可能な平坦な当接面１２ａ３と、当該脚部３ｆとボルト等の締結具で連結されるためのボルト孔１２ａ４とを有する。
【００５９】
第１板部１２ａは、前壁ブロック３の脚部３ｆの底面３ｆ１に当接した状態で当該脚部３ｆにボルトなどで固定される部分である。第１板部１２ａの厚さは、第２板部１２ｂの厚さよりも厚くなるように設定されている。
【００６０】
また、第１板部１２ａは、本体部１２の延びる方向Ｘ（図１１〜１２参照）と直交する方向Ｙに向かって突出部１３の先端まで延びる複数の延長部１２ａ１を有する。本実施形態では、複数の延長部１２ａ１のそれぞれには、１個または２個の突出部１３が固定されている。これにより、各突出部１３は、延長部１２ａ１によって補強されている。
【００６１】
さらに、本実施形態では、本体部１２は、図８および図１０に示されるように、前壁ブロック３の脚部３ｆに取り付けられたときに前壁ブロック３の前端よりも前側にはみ出る前側部分１２ａ２を有している。
【００６２】
また、本体部１２は、中間板部１２ｃに対して突出部１３の反対側の位置にそれぞれ補強板部１２ｄが設けられている。これら補強板部１２ｄによって突出部１３および本体部１２全体を補強することが可能である。これによって、前壁ブロック３を立て起こすときに突出部１３に圧力がかかったときに突出部１３および本体部１２全体が変形または破損するおそれを低減することが可能である。
【００６３】
複数の突出部１３は、図８〜１０および図１２に示されるように、本体部１２の第１板部１２ａと第２板部１２ｂとの間から外方へ突出する部分である。
【００６４】
それぞれの突出部１３の外側面１３ａは、本体部１２の第１板部１２ａが前壁ブロック３の脚部３ｆの底面３ｆ１のうち地面Ｇに近い側の部分に取り付けられたときに前壁ブロック３の脚部３ｆの側面３ｆ２（図６参照）から突出する方向（図６における下方向）、すなわち、本体部１２の延びる方向Ｘと直交する方向Ｙ（図１０および図１２参照）に当該本体部１２から突出している。
【００６５】
それぞれの突出部１３は、板状の部材からなる。突出部１３の外側面１３ａは、前壁ブロック３を立て起こすときに接地して当該前壁ブロック３の立起こしの支点が連続的に切り換わることが可能な形状を有する。具体的には、外側面１３ａは、前壁ブロック３を立て起こすときに接地してその接地部分を当該前壁ブロック３の立起こしの支点として当該支点が移動可能な形状として、外側に膨らんだ曲面形状（例えば、円弧状など）を有する。このような外側に膨らんだ曲面形状を有する外側面１３ａは、図１６（ａ）、（ｂ）に示されるように、前壁ブロック３を立て起こすときに外側面１３ａが地面Ｇに連続的に接触していくことが可能である。これにより、当該外側面１３ａの接地部分１３ａ１は、前壁ブロック３の立起こしの支点として外側面１３ａに沿って移動することが可能である。
【００６６】
これらの複数の突出部１３は、それぞれの外側面１３ａが地面Ｇに当接し得るように、本体部１２の長手方向（すなわち図１０に示される方向Ｘ）に沿って互いに間隔をあけて配置されている。
【００６７】
また、それぞれの突出部１３における第１板部１２ａの延長部１２ａ１に対向する部分は、溶接などによって連結されている。
【００６８】
突出部１３は、本体部１２ｂの全長にわたって等間隔に配置され、前壁ブロック３の前端よりも前側にはみ出る前側部分１２ａ２においても配置されている。また、図１０に示されるように、複数の突出部１３のうち、本体部１２の長手方向Ｘにおける両端に配置された突出部１３１、１３２は、本体部１２の長手方向Ｘにおける中間位置ＣＰに対して対称の位置に配置されている。
【００６９】
（第２の治具１４の説明）
また、本実施形態の施工方法では、前壁ブロック３を立て起こしたときに当該前壁ブロック３が垂直方向に起立できるように、前壁ブロック３の脚部３ｆの底面３ｆ１には、第１の治具１１とともに第２の治具１４が取り付けられる。
【００７０】
図６および図９に示されるように、第２の治具１４は、第１の治具１１よりも短尺のブロックであり、Ｈ型鋼からなる。具体的には、第２の治具１４は、第１板部１４ａ、第２板部１４ｂ、および中間板部１４ｃを有している。第１板部１４ａおよび第２板部１４ｂは、互いに向かい合った状態で平行に配置され、これら第１板部１４ａおよび第２板部１４ｂが中間板部１４ｃによって連結されている。第１板部１４ａは、第１の治具１１の第１の板部１１ａと同様に、前壁ブロック３の脚部３ｆの底面３ｆ１が当接可能な平坦な当接面１４ａ１、および当該脚部３ｆとボルト等の締結具で連結されるためのボルト孔１４ａ２をそれぞれ有する。本実施形態では、第２の治具１４は、図６に示されるように、前壁ブロック３を地面Ｇの上で横倒しにした状態で、前壁ブロック３の脚部３ｆの底面３ｆ１のうち地面Ｇに遠い側の部分（図６における上側の底面３ｆ１の部分）における沖側Ｓ１側の端部および陸側Ｓ２側の端部にそれぞれボルトによって連結される。
【００７１】
第２の治具１４の高さＨ１（図６参照）は、第１の治具１１の高さＨ２と同じになるように設定されている。
【００７２】
（分割式フレア護岸１の施工方法についての説明）
以下、上記のように構成された第１の治具１１および第２の治具１４を用いた分割式フレア護岸１の施工方法について、各工程を図面を参照しながら順に説明する。
【００７３】
＜搬送工程＞
まず、分割式フレア護岸１を構成する底板ブロック２および前壁ブロック３を当該フレア護岸１を海岸に近い施工ヤードとは別の広い場所でそれぞれ製造する。その後、図４に示されるように、トレーラＴなどの陸上輸送車両を用いて底板ブロック２および前壁ブロック３を施工ヤードに陸上輸送する。このとき、前壁ブロック３は、陸上輸送上の高さ制限により、横倒しの状態で輸送される。
【００７４】
これらブロック２、３を分割式フレア護岸１が設置される海岸沿いの設置場所Ｐに近い施工ヤードに輸送した後、クレーンによってトレーラＴから地面に降ろされる。このとき、図６に示されるように、横倒しになった状態の前壁ブロック３の下には、複数の添え木Ｍが間隔をあけて配置されているので、前壁ブロック３は、地面Ｇから若干浮いた状態で陸上に横倒しの状態で置かれる。
【００７５】
＜底板ブロック設置工程＞
ついで、図５に示されるように、底板ブロック２を、陸上からクレーンＣで吊り下げながら海岸沿いの所定の設置場所Ｐの地面Ｇに平行になるように設置する。このとき、底板ブロック２の波当て部２ｂを沖側Ｓ１に向けて配置する。
【００７６】
＜治具取付け工程＞
次に、前壁ブロック３を地面Ｇの上で横倒しにした状態で、図６〜９に示されるように、第１の治具１１および第２の治具１４を前壁ブロック３の脚部３ｆに取り付ける。
【００７７】
具体的には、まず、第１の治具１１の本体部１２を、前壁ブロック３の前後方向Ｑ（図８〜９参照）に沿って延びるように、かつ、当該本体部１２の前側部分１２ａ２が前壁ブロック３の前側からはみ出るように、前壁ブロック３の脚部３ｆの底面３ｆ１のうち地面Ｇに近い側の部分にボルトおよびナットを用いて取り付ける。このとき、本体部１２の第１板部１２ａを脚部３ｆの底面３ｆ１に当接させ、当該第１板部１２ａと脚部３ｆとをボルトおよびナットによって締結する。このとき、図６に示されるように突出部１３を前壁ブロック３の側面３ｆ２から下方に突出させて配置させる。このとき、突出部１３は、図６に示されるように、横倒しになった前壁ブロック３の下に敷いた添え木Ｍの高さ分だけ、地面Ｇから離間している。また、このとき、図８に示されるように、本体部１２の前側部分１２ａ２が前壁ブロック３の前側からはみ出るように配置されるので、前壁ブロック３の前後方向Ｑにおいて、本体部１２は、前壁ブロック３の重心Ｇを通る中心線ＣＬに対して前後対称になるように配置される。また、それによって、本体部１２の両端に配置された突出部１３１、１３２は、前壁ブロック３の重心Ｇを通る中心線ＣＬに対して対称の位置に配置される。
【００７８】
さらに、前壁ブロック３の脚部３ｆの底面３ｆ１のうち地面Ｇに遠い側の部分（図６における上側の底面３ｆ１の部分）における沖側Ｓ１側の端部および陸側Ｓ２側の端部にそれぞれ、第２の治具１４をボルトおよびナットによって取り付ける。このとき、第２の治具１４の第１板部１４ａを脚部３ｆの底面３ｆ１に当接させ、当該第１板部１４ａと脚部３ｆとをボルトおよびナットによって締結する。
【００７９】
＜ワイヤ取り付け工程＞
ついで、図１３〜１５に示されるように、前壁ブロック３の頭部３ｇにワイヤＷを取り付ける。具体的には、ワイヤＷをクレーンＣのフックＦに取り付けられた滑車Ｒに掛け回し、ワイヤＷの両端Ｗ１をそれぞれ前壁ブロック３の頭部３ｇのうち地面Ｇに近い側の連結部３ｊと当該地面Ｇに遠い側の連結部３ｊに連結する。本実施形態では、滑車Ｒは、クレーンのフックＦに対して中間ワイヤＩを介して吊り下げられている。なお、滑車Ｒは、他の手段によってフックＦに連結してもよい。
【００８０】
＜立起こし工程＞
つぎに、図１６（ａ）、（ｂ）および図１７〜１８に示されるように、クレーンＣのフックＦを上昇させ、前壁ブロック３の頭部３ｇをワイヤＷによって吊り上げる。ワイヤＷの両端Ｗ１が前壁ブロック３の頭部３ｇに取り付けられた状態で、クレーンＣを作動させて滑車Ｒを上昇させることによって、ワイヤＷの両端Ｗ１における張力を均等に保ちながら前壁ブロック３の頭部３ｇが吊り上げられる。そして、このようにワイヤＷを用いて前壁ブロック３の頭部３を吊り上げることによって、第１の治具１１の突出部１３の外側面１３ａを地面Ｇに連続的に接地させながら前壁ブロック３を前記第１の治具１１を支点にして立て起こす。具体的には、前壁ブロック３を立て起こしていく間、第１の治具１１の突出部１３の外側面１３ａが地面Ｇに接触した状態で、当該外側面１３ａの接地部分１３ａ１（図１６（ｂ）参照）は、前壁ブロック３の立起こしの支点として外側面１３ａに沿って移動していく。それにより、前壁ブロック３を円滑に立て起こすことが可能である。
【００８１】
また、本実施形態では、この立起こし工程において、図１８に示されるように、前壁ブロック３の重心Ｇが第１の治具１１の上方を通過するときに、当該前壁ブロック３に対して重心Ｇの移動方向Ｋと反対の方向へ制動力をかけて、前壁ブロック３を立て起こす速度を減速させる。具体的には、クレーンＣによる立起こしの角度が６０度を超える付近から、チルホールなどの手動ウインチＣＨなどを用いて、当該前壁ブロック３に対して重心Ｇの移動方向Ｋと反対の方向へ制動力をかけて、前壁ブロック３を立て起こす速度を減速させる。これにより、前壁ブロック３の重心Ｇが回転支点である第１の治具１１の上方を通過するときの前壁ブロック３の回転速度を減速させて、前壁ブロック３の立起こしを安全かつ確実に行なうことが可能である。
【００８２】
また、図１７に示されるように、ワイヤＷが連結されている前壁ブロック３の頭部３ｇの連結部３ｊは、前壁ブロック３の重心Ｇを通る当該前壁ブロック３の高さ方向に延びる中心線ＣＬの上または近い位置に配置されている。そのため、前壁ブロック３を立て起こすときに連結部３ｊにかかる上方に吊り上げられる力によって発生する前壁ブロック３の中心線ＣＬ回りに回転するモーメントが低減される。
【００８３】
そして、図１９に示されるように、前壁ブロック３の立起こしが完了して、当該前壁ブロック３が垂直に立て起こされたときには、第１の治具１１および第２の治具１４がそれぞれ地面Ｇに当接した状態で前壁ブロック３を下方から支持する。前述のように、第１の治具１１および第２の治具１４の高さが同じであるので、これら第１の治具１１および第２の治具１４によって前壁ブロック３の起立状態が安定して維持される。
【００８４】
＜治具取り外し工程＞
前壁ブロック３が垂直に立て起こされた後、前壁ブロック３から第１の治具および第２の治具を取り外す。具体的には、前壁ブロック３の立起こしが完了し、第１の治具１１および第２の治具１４が着地している状態で、前壁ブロック３の脚部３ｆと第１の治具１１とを連結するボルトおよびナットを取り外し、同様に、脚部３ｆと第２の治具１４とを連結するボルトおよびナットを取り外す。
【００８５】
＜前壁ブロック載置工程＞
ついで、図２０〜２１に示されるように、ワイヤＷの両端が前壁ブロック３の頭部３ｇの連結部３ｊに取り付けられた状態で滑車Ｒを外し、クレーンＣのフックＦをワイヤＷに引っ掛ける。その状態で、前壁ブロック３を陸上からクレーンＣで吊り下げながら海岸沿いの所定の設置場所Ｐの地面Ｇにすでに接地された底板ブロック２の台座部２ａの上に設置する。このとき、前壁ブロック３は、波返し面３ｃが沖側Ｓ１に向くように、配置される。
【００８６】
しかも、前壁ブロック３は、脚部３ｆが底板ブロック２の台座部２ａの上面のうちひげ鉄筋２ｄが配置されていない所定の位置で当該台座部２ａに当接する。さらに、前壁ブロック３の脚部３ｆは、底板ブロック２の台座部２ａの上面２ａ１に当接した状態で、当該上面２ａ１から突出するアンカーボルト４に連結される。
【００８７】
なお、前壁ブロック３をワイヤＷで吊り上げるときに、図１９に示される滑車Ｒを取り外さない状態でそのまま前壁ブロック３を吊り上げてもよい。
【００８８】
＜後打ちコンクリート形成工程＞
前壁ブロック３を底板ブロック２の上に設置した後、図２２に示されるように、底板ブロック２の台座部２ａの上で配筋され、後打ちコンクリート用の鉄筋１５を組む。鉄筋１５は、底板ブロック２の台座部２ａのひげ鉄筋２ｄおよび前壁ブロック３の脚部３ｆに連結させて網状に組まれる。その後、前壁ブロック３の脚部３ｆが埋まるように、コンクリートポンプ車ＣＶから鉄筋１５が組まれた範囲へセメントを供給して後打ちコンクリートを打設することにより、第１後打ちコンクリート部５（図１参照）を形成する。その後、前壁ブロック本体３ａと底板ブロック２の波当て部２ｂとの隙間に膨張コンクリートを充填することにより、第２後打ちコンクリート部６（図１参照）を形成する。これにより、図１〜３に示されるような分割式フレア護岸１の製造が完了する。
【００８９】
分割式フレア護岸１の製造が完了した後、当該フレア護岸とその陸側の土手Ｂ（図２２参照）との隙間に裏込め石を投入して一連のフレア護岸の施工作業が完了する。
【００９０】
（特徴）
（１）
本実施形態の分割式フレア護岸１の施工方法では、前壁ブロック３を横倒しの状態から立て起こす前に、まず、図６および図９に示されるように、前壁ブロック３の脚部３ｆのうち地面Ｇに近い側の部分に、第１の治具１１を取り付ける。この第１の治具１１は、その本体部１２の延びる方向Ｘ（図１０参照）に対して直角に延びる方向Ｙ（図１０および図１２参照）に突出部１３が突出する構造を有しているので、前壁ブロック３を地面Ｇの上で横倒しにした状態で、第１の治具１１の本体部１２を前壁ブロック３の前後方向に沿って延びるように前壁ブロック３の脚部３ｆの底面３ｆ１のうち地面Ｇに近い側の部分に取り付けることにより、突出部１３を前壁ブロック３の側面３ｆ２から突出させて配置することが可能である。これにより、図１６（ａ）、（ｂ）に示されるように、前壁ブロック３の頭部３ｇをワイヤＷによって吊り上げることによってこの突出部１３を接地させ、かつ、その接地部分１３ａ１を支点として当該支点を外側面１３ａに沿って移動させながら前壁ブロック３を円滑に立て起こすことが可能である。このように、前壁ブロック３を第１の治具１１の突出部１３の外側面１３ａを地面Ｇに連続的に接地させ、かつ、その接地部分１３ａ１を支点として当該支点を外側面１３ａに沿って移動させながら前壁ブロック３を立て起こすことにより、面積が限られた施工ヤードで少ない重機械を用いて安価でかつ簡便に立て起こしを行なうことが可能である。また、前壁ブロック３を立て起こした後は、第１の治具１１を取り外せは、前壁ブロック３を底板ブロック２の上に容易に立設することが可能である。
【００９１】
（２）
本実施形態の施工方法では、当該施工方法に用いられる第１の治具１１の本体部１２が前壁ブロック３の脚部３ｆに取り付けられたときに、突出部１３が前壁ブロック３の前端よりも前側にはみ出た前側部分１２ａ２に配置されるので、前壁ブロック３の立起こし作業中には、前壁ブロック３の脚部３ｆの前後方向の長さよりも広い長さの範囲で第１の治具１１の突出部１３が地面Ｇに接触することが可能になる。これにより、前壁ブロック３が立起こし作業中に前壁ブロック３がその脚部３ｆを回転支点として水平回転するおそれを低減することが可能である。
【００９２】
（３）
また、本実施形態の施工方法では、前壁ブロック３を立て起こした後に当該前壁ブロック３の起立状態を安定させるために、第１の治具１１とは別に第２の治具１４をさらに取り付ける。すなわち、治具取付け工程において、図６に示されるように、前壁ブロック３を地面Ｇの上で横倒しにした状態で、前壁ブロック３の脚部３ｆの底面３ｆ１のうち地面Ｇに遠い側の部分に、第１の治具１１の高さＨ２と同じ高さＨ１を有する第２の治具１４を取り付ける。このように、第２の治具１４の高さが第１の治具１１の高さと同じであるので、立起こし工程のときに、前壁ブロック３が起き上がったときに第１の治具１１と第２の治具１４とによって前壁ブロック３の起立状態を安定して維持することが可能である。
【００９３】
（４）
また、本実施形態の施工方法では、治具取り外し工程の後に、前壁ブロック３の立起こし作業のときに用いたワイヤＷを当該前壁ブロック３の頭部３ｇに取り付けたまま施工を続けることにより、第１の治具１１の取り外し工程の後にワイヤＷの付け替え作業をすることなくそのまま前壁ブロック３を当該ワイヤＷで吊り下げて底板ブロック２の上まで搬送し、当該前壁ブロック３を底板ブロック２の上に設置する作業を行なうことである。これにより作業時間の短縮が可能である。
【００９４】
（５）
また、本実施形態の施工方法では、立起こし工程のときに、前壁ブロック３の重心Ｇが第１の治具１１をまたぐときに、作業者がチルホールなどの手動ウインチＣＨを操作することによって、当該前壁ブロック３に対して重心Ｇの移動方向と反対の方向へ制動力をかけて、前壁ブロック３を立て起こす速度を減速させる。これにより、前壁ブロック３の立て起こす速度を微調整することが可能である。これにより、より安定して立起こし作業を行なうことが可能である。
【００９５】
（６）
また、本実施形態の施工方法では、ワイヤ取付け工程において、ワイヤＷをクレーンＣのフックＦに取り付けられた滑車Ｒに掛け回し、ワイヤＷの両端Ｗ１をそれぞれ前壁ブロック３の頭部３ｇのうち地面Ｇに近い側の連結部３ｊと当該地面Ｇに遠い側の連結部３ｊに連結し、立起こし工程おいて、ワイヤＷの両端Ｗ１が前壁ブロック３の頭部３ｇに取り付けられた状態で、クレーンＣを作動させて滑車Ｒを上昇させることによって前壁ブロック３の頭部３ｇを吊り上げることにより、突出部１３の外側面１３ａを地面Ｇに連続的に接地させかつその接地部分１３ａ１を支点として当該支点を外側面１３ａに沿って移動させながら前壁ブロック３を立て起こす。これにより、クレーンＣを作動させて滑車Ｒを上昇させたときに、前壁ブロック３が立て起こされるにつれて滑車ＲにかけられたワイヤＷの両端Ｗ１の相対的な高さは変化するが、ワイヤＷの両端Ｗ１における張力は均等に保たれるので、前壁ブロック３の両側の頭部３ｇに均等に吊り上げる力を作用させることができる。これにより、少ない重機械を用いて立起こし作業をより安定して行なうことが可能になる。
【００９６】
（７）
本実施形態の施工方法に用いられる第１の治具１１では、最も前方側に位置する突出部１３と最も後方側に位置する突出部１３とが前壁ブロック３の脚部３ｆの前後方向において前壁ブロック３の重心Ｇに対して前後に均等の距離に配置されることによって、立起こし作業中には、第１の治具１１にかかる力が前壁ブロック３の前後に均等に分散されるので、立起こし作業中に前壁ブロック３がその脚部３ｆを回転支点として水平回転するおそれをより低減することが可能である。
【００９７】
（８）
また、本実施形態の施工方法に用いられる第１の治具１１では、突出部１３の外側面１３ａが外側に膨らんだ円弧上などの曲面形状を有しており、当該外側面１３ａは前壁ブロック３の立起こしの支点が連続的に移動するような曲面を含むので、当該外側面１３ａを連続的に接地させながら前壁ブロック３を立て起こすことにより、立起こし作業の途中で前壁ブロック３の立て起こし速度が急変動するおそれが低減し、円滑に立て起こし作業を行なうことが可能である。
【００９８】
（９）
また、本実施形態の施工方法に用いられる第１の治具１１では、第１の治具１１の突出部１３が前壁ブロック３を立て起こすときに接地して当該前壁ブロック３の立起こしの支点が連続的に切り換わることが可能な形状の外側面１３ａを有する板状の部材からなり、かつ、複数の突出部１３が、それぞれの外側面１３ａが地面Ｇに当接し得るように、本体部１２の長手方向に互いに間隔をあけて配置されているので、不陸（凸凹）な地面Ｇでも地面Ｇにそれぞれの突出部１３が地盤に食い込み、立起こし作業中に前壁ブロック３がその脚部３ｆを回転支点として水平回転するおそれをより低減することが可能である。これにより、不陸な地面Ｇの影響を抑えながら立て起こし作業を円滑に行なうことが可能である。
【００９９】
（変形例）
（Ａ）
上記実施形態では、第１の治具１１の突出部１３の外側面１３ａが前壁ブロック３の立起こしの支点が連続的に移動するような曲面を含む例あげて説明しているが、本発明はこれに限定されるものではなく、当該外側面１３ａが立起こしの支点が当該外側面１３ａに沿って移動可能な他の形状であってもよい。例えば、図２３に示されるように、第１の治具１１の突出部１３の外側面１３ｂは、複数の平面１３ｂ１が互いに傾斜してそれぞれの縁がつながることにより構成された複数の角部１３ｂ２を有し、当該角部１３ｂ２が前壁ブロック３を立て起こすときに順次接地することにより支点が切り換わるようにしてもよい。その他の構造は、図１０〜１２に示される第１の治具１１の構造と共通している。このような突出部１３では、外側面１３ａが複数の角部１３ｂ２を有し、これらの角部１３ｂ２が複数の平面１３ｂ１が互いに傾斜してそれぞれの縁がつながることにより構成されているので、突出部１３の外側面１３ｂを連続的に接地させながら前壁ブロック３を立て起こすことにより、それぞれの平面１３ｂ１の間の角部１３ｂ２が順次接地して支点が切り換わるので、立起こし作業の途中で前壁ブロック３の立て起こし速度が急変動するおそれが低減し、円滑に立て起こし作業を行なうことが可能である。
【０１００】
（Ｂ）
上記実施形態では、第１の治具１１の突出部１３が本体部１２の長手方向に沿って複数個配置されているが、本発明はこれに限定されるものではなく、前壁ブロック３を立て起こすときに接地してその接地部分を当該前壁ブロック３の立起こしの支点として当該支点が移動可能な形状の外側面１３ａを有する少なくとも１個の突出部１３があればよい。したがって、本発明の他の変形例として、本体部の延びる方向に沿って連続的に延びる曲面を有する形状、例えば半円筒状、を有する部材なども突出部に採用することが可能である。
【０１０１】
（Ｃ）
なお、上記実施形態では、本体部１２が前壁ブロック３の前端よりも前側にはみ出る前側部分１２ａ２を有する例を挙げて説明しているが、本発明はこれに限定されるものではなく、本体部１２は、前壁ブロック３の脚部３ｆに取り付けられたときに前壁ブロック３の前端よりも前側にはみ出る前側部分１２ａ２および前壁ブロック３の後端よりも後側にはみ出る後側部分のうちの少なくとも一方の部分を有し、突出部１３は、前記前側部分１２ａ２および前記後側部分の少なくとも一方の部分に配置されていればよい。その場合も、上記のように、前壁ブロック３の立起こし作業中には、前壁ブロック３の脚部３ｆの前後方向の長さよりも広い長さの範囲で第１の治具１１の突出部１３が地面Ｇに接触することが可能になり、前壁ブロック３が立起こし作業中に前壁ブロック３がその脚部３ｆを回転支点として水平回転するおそれを低減することが可能である。
【符号の説明】
【０１０２】
１  分割式フレア護岸
２  底板ブロック
３  前壁ブロック
３ｃ  波返し面
３ｆ  脚部
３ｇ  頭部
１１  第１の治具
１２  本体部
１２ａ２  前側部分
１３  突出部
１３ａ  外側面
１３ａ１  接地部分
Ｃ  クレーン
Ｆ  フック
Ｒ  滑車
Ｗ  ワイヤ
【図１】
2014040727.tif 000003
【図２】
2014040727.tif 000004
【図３】
2014040727.tif 000005
【図４】
2014040727.tif 000006
【図５】
2014040727.tif 000007
【図６】
2014040727.tif 000008
【図７】
2014040727.tif 000009
【図８】
2014040727.tif 000010
【図９】
2014040727.tif 000011
【図１０】
2014040727.tif 000012
【図１１】
2014040727.tif 000013
【図１２】
2014040727.tif 000014
【図１３】
2014040727.tif 000015
【図１４】
2014040727.tif 000016
【図１５】
2014040727.tif 000017
【図１６】
2014040727.tif 000018
【図１７】
2014040727.tif 000019
【図１８】
2014040727.tif 000020
【図１９】
2014040727.tif 000021
【図２０】
2014040727.tif 000022
【図２１】
2014040727.tif 000023
【図２２】
2014040727.tif 000024
【図２３】
2014040727.tif 000025